【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
光源と、前記光源から射出された光が入射する光入射面及び前記光入射面から入射した光を射出する光射出面を備える導光板とを有し、
前記光源は、複数の、２つ以上の主要ピーク波長を有する発光波長の光を射出するＬＥＤチップを有する面状照明装置。
【請求項２】
複数の互いに異なる発光波長の光を射出するＬＥＤチップで構成された光源と、前記光源から射出された光が入射する光入射面及び前記光入射面から入射した光を射出する光射出面を備える導光板とを有し、
前記ＬＥＤチップは、２つ以上の主要ピーク波長を有する発光波長の光を射出する面状照明装置。
【請求項３】
前記ＬＥＤチップは、光を発光する発光面を備えるＬＥＤと、前記ＬＥＤの発光面に配置され、前記ＬＥＤから射出された光の一部の波長を変換する波長変換部材とを有する請求項１または２に記載の面状照明装置。
【請求項４】
前記ＬＥＤは、赤色、青色、緑色、紫色、紫外、近紫外、赤外、近赤外のいずれか１つの波長領域の光を発光する請求項３に記載の面状照明装置。
【請求項５】
前記波長変換部材は、光が透過することにより発光する蛍光体である請求項３または４に記載の面状照明装置。
【請求項６】
前記ＬＥＤチップは、赤色、青色、緑色の全てに主要ピークを有する光を射出する請求項項１〜５のいずれかに記載の面状照明装置。
【請求項７】
前記ＬＥＤチップは、前記光入射面に対向した位置に、列状に配置されている請求項１〜６のいずれかに記載の面状照明装置。
【請求項８】
前記ＬＥＤチップは、前記導光板の前記光射出面に垂直な方向の長さをａとし、前記ＬＥＤチップの配列方向における長さをｂとし、前記ＬＥＤチップの配置間隔をｐとしたときに、ｐ＞ｂ＞ａの関係を満足する請求項７に記載の面状照明装置。
【請求項９】
前記光源は、前記ＬＥＤチップを列状に配置したＬＥＤアレイを２つ以上有し、
機械的接合方法及び化学的接合方法の少なくとも一方を用い、前記ＬＥＤアレイの前記ＬＥＤチップと他の前記ＬＥＤアレイの前記ＬＥＤチップとの間隔を所定距離離間させて積層させた構成を有する請求項７または８に記載の面状照明装置。
【請求項１０】
光源と、前記光源から射出された光が入射する光入射面及び前記光入射面から入射した光を射出する光射出面を備える導光板とを有し、
前記光源は、少なくとも１つの、単色の光を射出するＬＥＤを有する面状照明装置。
【請求項１１】
複数の互いに異なる発光波長の光を射出するＬＥＤで構成されたＬＥＤユニットを備える光源と、前記光源から射出された光が入射する光入射面及び前記光入射面から入射した光を射出する光射出面を備える導光板とを有し、
前記ＬＥＤは、単色の光を射出する面状照明装置。
【請求項１２】
前記ＬＥＤユニットを構成する前記ＬＥＤは、赤色発光ダイオード、緑色発光ダイオード及び青色発光ダイオードである請求項１１に記載の面状照明装置。
【請求項１３】
さらに、前記光源と前記光入射面との間に配置され、前記光源から射出された光が透過する光透過部を有する請求項１〜１２のいずれかに記載の面状照明装置。
【請求項１４】
前記光透過部は、前記光源及び前記導光板と非接触で配置されている請求項１３に記載の面状照明装置。
【請求項１５】
前記光源は、第１光源と第２光源とで構成され、
前記導光板は、前記第１光源及び前記第２光源の間に配置され、前記第１光源に対向し、前記光射出面の一辺を含む第１光入射面と、前記第２光源に対向し前記一辺の対辺を含む第２光入射面とを有し、前記第１光入射面及び第２光入射面から中央に向かうに従って厚みが厚くなる形状である請求項１〜１４のいずれかに記載の面状照明装置。
【請求項１６】
前記導光板は、第１及び第２光入射面から入射して内部を伝搬する光を散乱する散乱粒子を含有する請求項１５に記載の面状照明装置。
【請求項１７】
前記導光板は、前記散乱粒子の散乱断面積をΦ、光の入射方向の半分の長さをＬＧ、散乱粒子の密度をＮＰ、補正係数をＫＣとし、ＫＣを０．００５以上０．１以下とすると、１．１≦Φ・ＮＰ・ＬＧ・ＫＣ≦８．２を満足する請求項１６に記載の面状照明装置。
【請求項１８】
前記導光板の前記光射出面は、外形が矩形状である請求項１５〜１７のいずれかに記載の面状照明装置。
【請求項１９】
前記導光板の前記光射出面が平坦に形成されており、前記導光板は、前記光射出面の反対側に、前記光射出面の前記一辺に平行な前記光射出面の２等分線に対し、互いに対称に傾斜して形成された第１傾斜面と第２傾斜面を有する請求項１５〜１８のいずれかに記載の面状照明装置。
【請求項２０】
前記導光板は、前記２等分線に垂直な断面形状において、前記第１傾斜面と前記第２傾斜面の接続部がＲ形状である請求項１９に記載の面状照明装置。
【請求項２１】
所定の偏光成分を選択的に透過させ、それ以外の偏光成分を反射させる偏光分離フィルムが前記導光板の前記光射出面上に、前記導光板と一体に形成されている請求項１５〜２０のいずれかに記載の面状照明装置。
【請求項２２】
前記導光板の前記光射出面が、前記光射出面の前記一辺に平行な前記光射出面の２等分線に対して互いに対称に傾斜する第１傾斜面と第２傾斜面とによって形成されており、更に、前記光射出面の反対側の面も、前記光射出面の前記一辺に平行な前記光射出面の２等分線に対して互いに対称に傾斜する第３傾斜面と第４傾斜面とによって形成されている請求項１５〜１８のいずれかに記載の面状照明装置。
【請求項２３】
前記導光板の前記光射出面が、前記光射出面の前記一辺に平行な前記光射出面の２等分線に対して互いに対称に傾斜する第１傾斜面と第２傾斜面とによって形成されており、前記光射出面の反対側の面が平坦に形成されている請求項１５〜１８のいずれかに記載の面状照明装置。
【請求項２４】
前記導光板を２つ以上有し、
前記導光板の前記光射出面の一辺と前記光入射面の一辺を含む面と、他の前記導光板の前記光射出面の一辺と前記入射面の一辺を含む面とが隣接して配置されている請求項１５〜２３のいずれかに記載の面状照明装置。
【請求項２５】
前記導光板は、前記第１光入射面及び前記第２光入射面を除く面の少なくとも一面に複数の拡散反射体が配置されている請求項１５〜２４のいずれかに記載の面状照明装置。
【請求項２６】
前記拡散反射体は、前記第１光入射面及び前記第２光入射面から離れるに従って、密に配置されている請求項２５に記載の面状照明装置。
【請求項２７】
前記拡散反射体は、前記光射出面の反対側の面に配置される請求項２５または２６に記載の面状照明装置。
【請求項２８】
前記導光板は、前記第１光入射面側の一部及び前記第２光入射面側の一部が、他の部分とは異なる材料で形成されており、前記第１光入射面側の一部及び前記第２光入射面側の一部の材料の屈折率をＮｍとし、他の部分の材料の屈折率をＮｉとしたときに、Ｎｍ＞Ｎｉの関係を満足する請求項１５〜２７のいずれかに記載の面状照明装置。
【請求項２９】
さらに、前記導光板の、前記第１光入射面近傍の前記光射出面、前記第１光入射面近傍の前記光射出面の反対側の面、前記第２光入射面近傍の前記光射出面、及び前記第２光入射面近傍の前記光射出面の反対側の面にそれぞれ配置された反射素材を有する請求項１５〜２８のいずれかに記載の面状照明装置。
【請求項３０】
前記光入射面は、表面粗さが３８０ｎｍ以下である請求項１５〜２９のいずれかに記載の面状照明装置。